(57)【要約】【課題】バリア羽根の開閉動作の安定性を保つと共に撮像装置を径方向に小型化することを可能としたバリア機構及び撮像装置を提供する。【解決手段】レンズバリアは、バリアカバー１、閉じバネ２、バリア小羽根３、バリア大羽根４、開きバネ５、バリア羽根駆動部材６を備える。バリア大羽根４は、非撮影時にバリアカバー１の開口部１３の大部分を覆う。バリア小羽根３は、非撮影時にバリアカバー１の開口部１３におけるバリア大羽根４による遮蔽部分の外側を覆う。バリア大羽根４に切り欠き部４５を設け、バリア小羽根３にバリア大羽根４の切り欠き部４５と係合しバリア大羽根４を光軸方向に受ける突起部３４を設ける。また、バリア羽根駆動部材６にカム面６６を設け、バリア小羽根３の被写体側とは反対側にカム面６６と当接する突起部３５を設ける。【選択図】図１
2007219305.tif 000002
【特許請求の範囲】
【請求項１】
撮影用光学部品を保持する鏡筒の被写体側に配置され、開口部を有するカバー部材と、
光軸と平行な軸中心に回動可能に配置され、非撮影時に前記カバー部材の前記開口部の少なくとも中心を含む部分を覆う第一のバリア羽根と、
光軸と平行な軸中心に回動可能に配置され、前記第一のバリア羽根に係合されると共に、非撮影時に前記カバー部材の前記開口部における前記第一のバリア羽根による遮蔽部分の外側を覆う第二のバリア羽根と、
前記鏡筒と前記カバー部材との間に配置され、光軸を中心に回動可能に前記鏡筒に係合されると共に、前記第一のバリア羽根に係合されるバリア羽根駆動部材とを備え、
前記第一のバリア羽根に、切り欠き部を設け、
前記第二のバリア羽根に、前記第一のバリア羽根の前記切り欠き部と係合し前記第一のバリア羽根を光軸方向に受ける受け部を設けたことを特徴とするバリア機構。
【請求項２】
前記バリア羽根駆動部材の一部に、カム面を設け、
前記第二のバリア羽根の被写体側とは反対側に、前記バリア羽根駆動部材の前記カム面と当接する突起部を設けたことを特徴とする請求項１記載のバリア機構。
【請求項３】
前記バリア羽根駆動部材の被写体側に、前記第一のバリア羽根及び前記第二のバリア羽根が摺動するレール部を設け、
前記バリア羽根駆動部材の前記カム面は、前記レール部の側面を用いることを特徴とする請求項１又は２記載のバリア機構。
【請求項４】
前記第一のバリア羽根及び前記第二のバリア羽根による前記カバー部材の前記開口部の開放状態から閉鎖状態への移行時に、前記バリア羽根駆動部材の前記カム面と前記第二のバリア羽根の前記突起部の当接により、前記第二のバリア羽根の動きを規制することを特徴とする請求項１乃至３の何れかに記載のバリア機構。
【請求項５】
前記請求項１乃至４の何れかに記載のバリア機構を備えることを特徴とする撮像装置。
【発明の詳細な説明】
【技術分野】
【０００１】
本発明は、銀塩カメラ、デジタルスチルカメラ等の撮像装置に装着されるレンズの被写体側の面を保護するバリア機構及び撮像装置に関する。
【背景技術】
【０００２】
従来、非撮影時にはレンズ鏡筒をカメラ筐体内部に繰り込み（沈胴状態）、撮影時にはレンズ鏡筒をカメラ筐体の前面から繰り出すように構成されたカメラがある。この種のカメラには、沈胴時にはレンズ前面を閉鎖してレンズを保護し、撮影時にはレンズ前面を開放する、一対または二対のバリア羽根からなるレンズバリアが内蔵される。レンズバリアは、一般的に、レンズ鏡筒の光軸方向の移動や回転筒の回転に連動して回動されるバリア羽根駆動部材により開閉駆動されるように構成されている。
【０００３】
上記レンズバリアに関しては以下のような技術が提案されている（例えば、特許文献１参照）。特許文献１記載のレンズバリアでは、一対の薄板状のバリア羽根の先端部分の形状を延長し、レンズバリアの閉鎖時、開放時、あるいは開閉の途中段階においてバリア羽根の一部が必ずオーバーラップするような構成としている。これにより、レンズバリアの閉鎖時にバリア羽根同士が当接することなく、確実にバリア羽根同士がオーバーラップできるようにしている。
【特許文献１】特開２０００−２３１１３７号公報
【発明の開示】
【発明が解決しようとする課題】
【０００４】
しかしながら、従来のレンズバリア構造においては、レンズバリアの開放状態でもバリア羽根同士をオーバーラップ可能とするために、バリア羽根の先端を極端に長く延ばす必要がある。このため、レンズバリアの閉鎖状態でレンズ鏡筒の開口部を塞ぐ必要最小限の領域を形成する羽根形状部分以外にも、バリア羽根の先端を長く延ばした分に相当するスペースを必要としていた。この結果、設計の自由度が狭められカメラの小型化の障害となるおそれがあった。また、先端を極端に長く延ばすバリア羽根の形状は、モールドにより成形できる可能性が低く、板金でも変形し易い不安定な部品となってしまうおそれがあった。
【０００５】
また、上記のようなバリア羽根の先端を長く延ばしたレンズバリアとは別に、同一平面上にバリア大羽根とバリア小羽根を２枚ずつ配置して開閉を行う４枚羽根構造のレンズバリアも実用化されている。しかし、４枚羽根構造のレンズバリアでは、バリア大羽根とバリア小羽根の摺動部分に摩擦力が発生するため、レンズバリアの開閉動作不良が生じるという問題があった。
【０００６】
本発明の目的は、バリア羽根の開閉動作の安定性を保つと共に撮像装置を径方向に小型化することを可能としたバリア機構及び撮像装置を提供することにある。
【課題を解決するための手段】
【０００７】
上述の目的を達成するために、本発明のバリア機構は、撮影用光学部品を保持する鏡筒の被写体側に配置され、開口部を有するカバー部材と、光軸と平行な軸中心に回動可能に配置され、非撮影時に前記カバー部材の前記開口部の少なくとも中心を含む部分を覆う第一のバリア羽根と、光軸と平行な軸中心に回動可能に配置され、前記第一のバリア羽根に係合されると共に、非撮影時に前記カバー部材の前記開口部における前記第一のバリア羽根による遮蔽部分の外側を覆う第二のバリア羽根と、前記鏡筒と前記カバー部材との間に配置され、光軸を中心に回動可能に前記鏡筒に係合されると共に、前記第一のバリア羽根に係合されるバリア羽根駆動部材とを備え、前記第一のバリア羽根に、切り欠き部を設け、前記第二のバリア羽根に、前記第一のバリア羽根の前記切り欠き部と係合し前記第一のバリア羽根を光軸方向に受ける受け部を設けたことを特徴とする。
【発明の効果】
【０００８】
本発明によれば、第一のバリア羽根に切り欠き部を設け、第二のバリア羽根に第一のバリア羽根の切り欠き部と係合する受け部を設けることで、第二のバリア羽根が第一のバリア羽根の光軸方向の受けになる。これにより、第一及び第二のバリア羽根の開閉動作の安定性を保つことが可能となる。
【０００９】
また、非撮影時に、第一のバリア羽根はカバー部材の開口部の少なくとも中心を含む部分を覆い、第二のバリア羽根はカバー部材の開口部の第一のバリア羽根による遮蔽部分の外側を覆う。これにより、第一及び第二のバリア羽根で形成される面積が、カバー部材の開口部を覆う必要最小限の面積でよく、撮像装置を径方向に小型化することが可能となる。
【発明を実施するための最良の形態】
【００１０】
以下、本発明の実施の形態を図面を参照して説明する。
【００１１】
図１は、本発明の実施の形態に係る撮像装置としてのカメラに装着されるレンズバリア及び１群鏡筒の構成を示す分解斜視図である。図２は、レンズバリアの閉鎖状態を示す正面図である。図３は、レンズバリアの開放状態を示す正面図である。図４は、図２の矢視Ａ−Ａ線に沿うレンズバリア及び１群鏡筒の内部構造を示す断面図である。
【００１２】
図１乃至図４において、レンズバリアは、バリアカバー１、閉じバネ２、バリア小羽根３、バリア大羽根４、開きバネ５、バリア羽根駆動部材６を備えている。一群鏡筒７は、カメラに装着されるレンズ鏡筒の一部を構成する部材であり、レンズ８を保持している。閉じバネ２は、バリア小羽根３とバリア大羽根４との間に掛けられるバネである。開きバネ５は、バリア羽根駆動部材６と一群鏡筒７との間に掛けられるバネである。尚、閉じバネ２、バリア小羽根３、バリア大羽根４、開きバネ５は、光軸を中心として１８０度の回転対称な位置に配置される。
【００１３】
以下ではレンズバリアの構成とその開閉機構について詳細に説明する。
【００１４】
一群鏡筒７は、突起部７１、７２、バネ掛け部７３、軸７４、７５、前端板部（以下、フランジ部と表記）７７、外径部７８を備えている。一群鏡筒７のフランジ部７７の被写体側には、バリア羽根駆動部材６が配置されている。バリア羽根駆動部材６の後述するバネ掛け部６４と一群鏡筒７のバネ掛け部７３との間には、開きバネ５が掛けられている（図２参照）。開きバネ５により、バリア羽根駆動部材６を正面から見て反時計方向に付勢している。
【００１５】
バリア羽根駆動部材６は、複数のレール部６１、突起部６２、係合部６３、バネ掛け部６４、内径部６５を備えている。バリア羽根駆動部材６の内径部６５は、一群鏡筒７の外径部７８と嵌合している。これにより、バリア羽根駆動部材６は、光軸を中心に回転可能となっている。バリア羽根駆動部材６の突起部６２は、一群鏡筒７のフランジ部７７を貫通して撮像側（被写体側とは反対側）まで延び、一群鏡筒７の内部に配設されている不図示の部材と当接する。これにより、バリア羽根駆動部材６は、時計周りに回転可能となっている。
【００１６】
バリア小羽根３は、軸穴３１、バネ掛け部３２、摺動部３３、突起部３４、突起部３５（図５参照）を備えている。バリア大羽根４は、軸穴４１、バネ掛け部４２、突起部４３（図５参照）、摺動部４４、切り欠き部４５を備えている。バリア大羽根４は、レンズ鏡筒の沈胴時（非撮影時）にバリアカバー１の開口部１３の大部分を覆う。バリア小羽根３は、レンズ鏡筒の沈胴時にバリアカバー１の開口部１３におけるバリア大羽根４による遮蔽部分の外側（開口部１３の対角部分）を覆う。
【００１７】
バリア小羽根３とバリア大羽根４は、同一平面内に配置されると共に、バリア羽根駆動部材６の被写体側に配置される。バリア小羽根３とバリア大羽根４は、バリア羽根駆動部材６のレール部６１のレール面に沿って摺動可能に構成されており、沈胴時にレンズ８を保護する。バリア小羽根３の軸穴３１は、一群鏡筒７の軸７４に嵌合し、バリア大羽根４の軸穴４１は、一群鏡筒７の軸７５に嵌合する。これにより、バリア小羽根３、バリア大羽根４は、それぞれ、光軸に対して平行な軸７４、軸７５を中心に回転可能となっている。
【００１８】
バリア小羽根３のバネ掛け部３２とバリア大羽根４のバネ掛け部４２との間には、閉じバネ２が掛けられている（図２、図３参照）。閉じバネ２により、バリア小羽根３とバリア大羽根４を互いに閉じる方向に付勢している。バリア大羽根４の突起部４３は、バリア羽根駆動部材６の係合部６３と係合している（図５参照）。これにより、バリア羽根駆動部材６が反時計方向に回転すれば、バリア大羽根４は軸７５を中心にして時計方向に回転する。逆に、バリア羽根駆動部材６が時計方向に回転すれば、バリア大羽根４の突起部４３とバリア羽根駆動部材６の係合部６３との係合が解除され、閉じバネ２の閉じ力によりバリア大羽根４は反時計方向に回転する。
【００１９】
バリアカバー１は、突起部１１、１２、開口部１３を備えている。バリアカバー１は、バリア小羽根３及びバリア大羽根４の被写体側に配置されており、バリア小羽根３及びバリア大羽根４と共にレンズ８を保護する。バリアカバー１は、突起部１１及び１２が、それぞれ、一群鏡筒７に施された突起部７１及び７２の撮像側（被写体側とは反対側）に入り込むように組み立てられる。これにより、バリアカバー１は、バヨネット方式で一群鏡筒７に固定される。
【００２０】
次に、上記構成を有する本実施の形態のカメラに装着されるレンズバリアの動作を、カメラの非撮影時及び撮影時の各場合について説明する。
【００２１】
カメラの非撮影時には、レンズバリアは図２の閉鎖状態となっている。図２の閉鎖状態では、一群鏡筒７内部の不図示の部材がバリア羽根駆動部材６の突起部６２に当接している。これに伴い、開きバネ５の開き力をチャージさせながら、バリア羽根駆動部材６を時計方向に回転させる。
【００２２】
この時、バリア羽根駆動部材６は、バリア大羽根４の突起部４３とバリア羽根駆動部材６の係合部６３が十分に離れる位相まで回転する。これにより、バリア大羽根４には閉じバネ２の閉じ力とバリア小羽根３から受ける閉じ力のみが作用するため、レンズバリアの閉鎖状態を保つ。バリアカバー１の開口部１３はバリア小羽根３とバリア大羽根４により完全に塞がれるため、レンズ８が保護される。
【００２３】
一方、カメラの撮影時には、レンズバリアは図３の開放状態となっている。図３の開放状態では、図２の閉鎖状態においてバリア羽根駆動部材６の突起部６２に当接していた一群鏡筒７内部の不図示の部材が退避する。これにより、一群鏡筒７内部の不図示の部材とバリア羽根駆動部材６の突起部６２との当接が解除される。これに伴い、開きバネ５の開き力により、バリア羽根駆動部材６を反時計方向に回転させる。
【００２４】
この時、バリア羽根駆動部材６の係合部６３がバリア大羽根４の突起部４３に当接してバリア大羽根４を軸７５を中心に時計方向に回転させることで、バリア大羽根４が開かれる。バリア大羽根４の開き力により、バリア大羽根４の摺動部４４がバリア小羽根３の摺動部３３を押し広げる。これにより、バリア小羽根３が軸７４を中心に反時計方向に回転するため、レンズバリアの開放状態を保つ。バリアカバー１の開口部１３からバリア小羽根３とバリア大羽根４を完全に退避させることで、撮影が可能となる。
【００２５】
図３及び図４に示すように、バリア小羽根３とバリア大羽根４には、それぞれ、バリア小羽根３及びバリア大羽根４の摺動安定性を上げるための突起部３４と切り欠き部４５が形成されている。バリア小羽根３の突起部３４は、バリア大羽根４の切り欠き部４５に入り込むように構成されている（図４）。これにより、バリア小羽根３及びバリア大羽根４の開閉のどのタイミングにおいても、バリア小羽根３がバリア大羽根４を光軸方向に受けている。
【００２６】
また、図２及び図４に示すように、レンズバリアの閉鎖状態においては、バリア羽根駆動部材６のレール部６１によるバリア大羽根４の光軸方向の受け部が、バリア大羽根４の根元のみとなる。一方、バリア羽根駆動部材６のレール部６１によりバリア小羽根３全体を受けて安定性のあるバリア小羽根３の突起部３４が、バリア大羽根４の先端部の受けとなる（図４）。これにより、バリア大羽根４が外力を受けた場合においても、レンズバリアの閉鎖状態を崩すことはない。
【００２７】
次に、本実施の形態のレンズバリアにおいて、バリア小羽根３とバリア大羽根４の閉じるタイミングをずらす機構について説明する。
【００２８】
図５は、レンズバリアの開放状態におけるバリア小羽根３、バリア大羽根４、バリア羽根駆動部材６を示す斜視図である。図６は、図５の構成を正面から見た状態を示す正面図である。図７は、図５の構成においてバリア大羽根４だけを少し閉じた状態を示す正面図である。図８は、図５の構成においてレンズバリアの閉鎖状態を示す正面図である。図９は、バリア羽根の閉じタイミングを簡略的に示す特性図（従来型）である。図１０は、バリア羽根の閉じタイミングを簡略的に示す特性図（バリア小羽根遅延型）である。
【００２９】
図５乃至図１０において、上記でも説明したように、レンズバリアの開放状態から閉鎖状態への移行は次のように行われる。図６でバリア羽根駆動部材６が時計方向に回転することで、係合部６３とバリア大羽根４の突起部４３の係合を保ちながら、バリア大羽根４が軸中心に反時計方向に回転することで上記移行が行われる。その時、バリア小羽根３はバリア大羽根４の動きに追従し軸中心に時計方向に回転する。
【００３０】
このようなレンズバリアの開放状態から閉鎖状態への移行時において、バリア大羽根４は常にバリア小羽根３と擦れながら回転するため、先端にバリア小羽根３からの摩擦力を受ける。このため、バリア小羽根３及びバリア大羽根４の摺動性に支障を来たすことがある。特にバリア大羽根４の動き始めの状態で閉じ方向と反対の力を受けることは、バリア大羽根４のように回転軸から作用点の距離が長い大きなバリア機構に対しては力学的に不利である。
【００３１】
そこで、図５に示すように、バリア小羽根３の撮像側（被写体側とは反対側）に突起部３５を設けると共に、バリア羽根駆動部材６のレール部６１の側面にカム面６６を設ける。これにより、レンズバリアの開放状態から閉鎖状態への移行が始まってから暫くの間、バリア小羽根３の突起部３５をバリア羽根駆動部材６のカム面６６に当接させ、バリア小羽根３を閉鎖状態の定位置に留めておくようにする。
【００３２】
図６は、レンズバリアの開放状態でバリア小羽根３の突起部３５とバリア羽根駆動部材６のカム面６６が当接している状態を示している。レンズバリアの閉じ動作が開始すると、図７に示すように、バリア羽根駆動部材６が少し時計方向に回転する。この時、バリア小羽根３の突起部３５はバリア羽根駆動部材６のカム面６６にまだ当接しているため、バリア小羽根３はそのままの状態を保つ。よって、バリア小羽根３が固定されたままバリア大羽根４だけが閉じ方向に回転する。このため、バリア大羽根４とバリア小羽根３との間に隙間ができ、離れている間に限りバリア大羽根４はバリア小羽根３から摩擦力を受けない。
【００３３】
更に、レンズバリアの閉じ動作が進み、バリア羽根駆動部材６が時計方向に回転すると、バリア小羽根３の突起部３５とバリア羽根駆動部材６のカム面６６との当接が解除される。これに伴い、バリア大羽根４とバリア小羽根３との間に掛けられている閉じバネ２のバネ力により、バリア小羽根３はバリア大羽根４に当接するまで一気に回転する。その後は、レンズバリアの閉鎖状態に達するまで、バリア小羽根３の突起部３５はバリア羽根駆動部材６のカム面６６と離れている。バリア小羽根３は閉じバネ２による閉じ方向の力しか受けないため、バリア大羽根４の閉じ動作に追従することになる。
【００３４】
図８は、レンズバリアの閉鎖状態を示している。バリア小羽根３の突起部３５はバリア羽根駆動部材６のカム面６６から大きく離れており、バリア小羽根３はバリア羽根駆動部材６から何の作用も受けない。よって、レンズバリアの閉鎖状態から開放状態への移行が開始される段階において、バリア羽根駆動部材６が反時計方向に回転し始めても、バリア小羽根３は滑らかな動作を保つことになる。
【００３５】
図９、図１０は、上記で説明した動作を簡略的にグラフに示したものである。図９は、バリア小羽根３の突起部３５がない場合のバリア羽根の閉じタイミングを示している。図１０は、バリア小羽根３の突起部３５がある場合のバリア羽根の閉じタイミングを示している。図９及び図１０において、横軸は、レンズバリアの閉じ動作に要する時間ｔである。縦軸は、バリア小羽根３とバリア大羽根４の閉鎖状態を０度とした時の回転角αを表している。
【００３６】
尚、図９は従来型であるが、図１０（本実施の形態）との比較を行うため、図９におけるバリア小羽根及びバリア大羽根には本実施の形態と同じ符号を付して説明するものとする。
【００３７】
図９では、時間ｔ１がレンズバリアの開放状態から閉鎖状態への移行開始時間である。時間ｔ２でレンズバリアが閉鎖状態になるまで簡略的に図示のような挙動を示すものとする。回転角α１は、バリア小羽根３の開放状態の回転角であり、回転角α２は、バリア大羽根４の開放状態の回転角である。
【００３８】
バリア小羽根３が常にバリア大羽根４に追従して閉じる場合は、図９に示すように時間ｔ１から時間ｔ２の間で滑らかにバリア小羽根３及びバリア大羽根４が閉じていく。但し、全ての過程においてバリア小羽根３とバリア大羽根４との間に摩擦力が働くことになる。
【００３９】
図１０では、バリア小羽根３が時間ｔ３（バリア小羽根３を定位置に留めておく時間）まで、バリア羽根駆動部材６のカム面６６に動きを規制されている様子を示している。この間もバリア羽根駆動部材６は時計方向に回転し続けているが、バリア小羽根３の突起部３５を当接させているカム面６６が図７に示す状態を保ち続けている。バリア小羽根３の突起部３５がバリア羽根駆動部材６のカム面６６から離れて当接が解除された瞬間、バリア大羽根４の位置までバリア小羽根３が急激に回転する。その後は、バリア小羽根３はバリア大羽根４の回転に追従して図９と同じ挙動を示す。
【００４０】
上述したバリア小羽根３を定位置に留めておく時間ｔ３は、バリア羽根駆動部材６のカム面６６のスプラインにより調節することが可能である。但し、バリア小羽根３を定位置に留めておく時間ｔ３は、バリア小羽根３とバリア大羽根４の接触部分がバリアカバー１の開口部１３に達するまでの時間内に設定することが望ましい。
【００４１】
以上説明したように、本実施の形態によれば、バリア大羽根４に、切り欠き部４５を設け、バリア小羽根３に、バリア大羽根４の切り欠き部４５と係合しバリア大羽根４を光軸方向に受ける突起部３４を設ける。バリア小羽根３及びバリア大羽根４同士を入れ子にすることで、常にバリア小羽根３がバリア大羽根４の光軸方向の受けになる。この結果、バリア小羽根３及びバリア大羽根４の不規則な動き（あおり）や、バリア羽根駆動部材６のレール部６１からのバリア小羽根３及びバリア大羽根４の脱落を防止できる。これにより、レンズバリアの開閉動作の安定性を保つことが可能となる。
【００４２】
また、非撮影時においては、バリア大羽根４はバリアカバー１の開口部１３の大部分を覆い、バリア小羽根３はバリアカバー１の開口部１３におけるバリア大羽根４による遮蔽部分の外側を覆う。この結果、レンズバリアの閉鎖状態でバリア小羽根３及びバリア大羽根４により形成される総面積が、バリアカバー１の開口部１３を覆う必要最小限の面積でよい。これにより、レンズ鏡筒内におけるバリア小羽根３及びバリア大羽根４の形状で占有される空間以外の設計自由度を向上させることが可能となり、カメラを径方向に小型化することが可能となる。
【００４３】
また、バリア羽根駆動部材６のレール部６１の側面に、カム面６６を設け、バリア小羽根３の被写体側とは反対側に、バリア羽根駆動部材６のカム面６６と当接する突起部３５を設ける。レンズバリアの開放状態から閉鎖状態への移行開始から暫くの間、バリア小羽根３の突起部３５をバリア羽根駆動部材６のカム面６６に当接させ、バリア小羽根３を閉鎖状態の定位置に留めておく。換言すれば、バリア小羽根３の閉じタイミングをバリア大羽根４の閉じタイミングから少し遅延させる。これにより、バリア小羽根３及びバリア大羽根４同士による摩擦力を生じさせないようにできるため、上記と同様にレンズバリアの開閉動作の安定性を保つことが可能となる。
【００４４】
また、バリア小羽根３の突起部３５を当接させるバリア羽根駆動部材６のカム面６６は、バリア羽根駆動部材６のレール部６１の側面を利用する。この結果、バリア小羽根３の閉じタイミングを遅延させるための構成として別個に部材を設けることが不要となる。これにより、部品点数を増やすことなく上記のようにレンズバリアの開閉動作の安定性を保つことが可能となる。
【００４５】
［他の実施の形態］
上記実施の形態では、上記レンズバリアを備えるカメラの種類については言及しなかったが、特定のカメラに限定されるものではない。本発明のレンズバリアは、銀塩カメラ、デジタルスチルカメラを含む各種のカメラに適用することが可能である。
【図面の簡単な説明】
【００４６】
【図１】本発明の実施の形態に係る撮像装置としてのカメラに装着されるレンズバリア及び１群鏡筒の構成を示す分解斜視図である。
【図２】レンズバリアの閉鎖状態を示す正面図である。
【図３】レンズバリアの開放状態を示す正面図である。
【図４】図２の矢視Ａ−Ａ線に沿うレンズバリア及び１群鏡筒の内部構造を示す断面図である。
【図５】レンズバリアの開放状態におけるバリア小羽根、バリア大羽根、バリア羽根駆動部材を示す斜視図である。
【図６】図５の構成を正面から見た状態を示す正面図である。
【図７】図５の構成においてバリア大羽根だけを少し閉じた状態を示す正面図である。
【図８】図５の構成においてレンズバリアの閉鎖状態を示す正面図である。
【図９】バリア羽根の閉じタイミングを簡略的に示す特性図（従来型）である。
【図１０】バリア羽根の閉じタイミングを簡略的に示す特性図（バリア小羽根遅延型）である。
【符号の説明】
【００４７】
１  バリアカバー（カバー部材）
１３  開口部（開口部）
２  閉じバネ
３  バリア小羽根（第二のバリア羽根）
３４  突起部（受け部）
３５  突起部（突起部）
４  バリア大羽根（第一のバリア羽根）
４５  切り欠き部（切り欠き部）
５  開きバネ
６  バリア羽根駆動部材（バリア羽根駆動部材）
６１  レール部（レール部）
６６  カム面（カム面）
７  一群鏡筒（鏡筒）
７７  フランジ部
８  レンズ（撮影用光学部品）
【図１】
2007219305.tif 000003
【図２】
2007219305.tif 000004
【図３】
2007219305.tif 000005
【図４】
2007219305.tif 000006
【図５】
2007219305.tif 000007
【図６】
2007219305.tif 000008
【図７】
2007219305.tif 000009
【図８】
2007219305.tif 000010
【図９】
2007219305.tif 000011
【図１０】
2007219305.tif 000012